(57)【要約】  【課題】  分包紙製品の分包紙を巻付ける芯材にＩＣチップを取り付け、そのＩＣチップに分包紙の現在の残量情報を確実に書込み、その残量情報の演算と書込みを分包紙製品を薬剤分包機にセットした状態で確実に行うこと、等が可能な分包紙管理システムを提供する。  【解決手段】  分包紙管理システムＳは、芯材４１に取り付けられたＩＣチップ５２、分包紙製品４０の製造後出荷前に残量情報を含む初期情報をＩＣチップ５２に書込むリーダライタ５９、薬剤分包機１に設けられたRFID基板３０、分包紙４２の使用量とＩＣチップ５２から読取った残量情報とを用いて残量情報を演算するＰＣ２０とを備え、RFID基板３０により、ＰＣ２０で演算された残量情報がＩＣチップ５２に書込まれて更新される。【選択図】  図１ 
2005230242.tif 000002
【特許請求の範囲】
【請求項１】
薬剤分包機にセットして使用可能に芯材に分包紙を巻付けて製造した分包紙製品を管理する分包紙管理システムであって、
前記芯材に取り付けられたＩＣチップと、
前記分包紙製品の製造後出荷前に、その芯材に巻付けられた分包紙の巻量を示す残量情報を含む初期情報をそのＩＣチップに書込む初期情報書込み手段と、
前記薬剤分包機にセットした分包紙製品のＩＣチップに対して非接触通信にて情報の読取りと書込みが可能に、薬剤分包機に設けられた読取り／書込み手段と、
前記薬剤分包機にセットして使用した分包紙製品の分包紙の使用量と、前記読取り／書込み手段により前記分包紙製品のＩＣチップから読取った残量情報とを用いて、この分包紙製品の分包紙の残量に関する残量情報を演算する残量演算手段とを備え、
前記読取り／書込み手段は、前記残量演算手段で演算された残量情報を前記ＩＣチップに書込んで更新することを特徴とする分包紙管理システム。
【請求項２】
前記残量情報は、分包紙製品の芯材に巻付けられ残っている分包紙の残量、又は、分包紙製品の芯材に巻付けられた製造当初の巻量とその後の累積使用量の情報を含むことを特徴とする請求項１に記載の分包紙管理システム。
【請求項３】
前記分包紙の残量と使用量は、薬剤分包機による薬剤の分包数、又は、分包紙の長さで計算されることを特徴とする請求項１又は２に記載の分包紙管理システム。
【請求項４】
前記初期情報書込み手段は、分包紙製品を製造する製造装置又は分包紙製品を出荷する為に管理する出荷管理機器に設けられたことを特徴とする請求項１〜３の何れかに記載の分包紙管理システム。
【請求項５】
前記薬剤分包機にセットして使用した分包紙製品の分包紙の使用量は、その薬剤分包機による分包動作に基づいて自動的に算出されることを特徴とする請求項１〜４の何れかに記載の分包紙管理システム。
【請求項６】
前記読取り／書込み手段によりＩＣチップから読み取った残量情報に基づいて、分包紙の残量が所定量以下になった場合に、その旨を報知するディスプレイ、ランプ、音声発生器の何れかを有する報知手段を薬剤分包機に設けたことを特徴とする請求項１〜５の何れかに記載の分包紙管理システム。
【請求項７】
前記分包紙の残量が所定量以下になった場合に、薬剤分包機による分包動作を禁止又は中断する分包禁止手段を薬剤分包機に設けたことを特徴とする請求項６に記載の分包紙管理システム。
【請求項８】
前記初期情報は、分包紙製品に固有のセキュリティー情報を含み、
前記ＩＣチップからセキュリティー情報を読取ってセキュリティーチェックを行い、分包紙製品にＩＣチップが搭載された芯材を使用していない場合に、その旨を、ディスプレイ、ランプ、音声発生器の何れかで報知するセキュリティー手段を設けたことを特徴とする請求項１に記載の分包紙管理システム。
【請求項９】
前記分包紙製品の芯材がＩＣチップを搭載した芯材でない場合、薬剤分包機において判別を行い、作業員の認証を得るまで分包動作を停止する分包停止手段を薬剤分包機に設けたことを特徴する請求項８に記載の分包管理システム。
【請求項１０】
前記芯材を再利用して分包紙製品を製造する場合、前記初期情報書込み手段は、そのＩＣチップのセキュリティー情報を書き換えることを特徴とする請求項８又は９に記載の分包紙管理システム。
【請求項１１】
前記初期情報は、芯材の再使用回数の情報、分包紙の使用期限の情報を含むことを特徴とする請求項８〜１０の何れかに記載の分包紙管理システム。
【請求項１２】
前記ＩＣチップに、製造年月日、製造元、材質、製品名、品質、出入荷の有無、分包数、分包薬、分包作業名の内の少なくとも１つの情報を書込み可能に構成したことを特徴とする請求項８〜１１に記載の分包紙管理システム。
【請求項１３】
前記ＩＣチップから読取った情報を表示させる表示手段を設けたことを特徴とする請求項１１又は１２に記載の分包紙管理システム。
【発明の詳細な説明】
【技術分野】
【０００１】
本発明は、薬剤分包機にセットして使用可能に芯材に分包紙を巻付けて製造した分包紙製品を管理する分包紙管理システムに関するものである。
【背景技術】
【０００２】
従来、芯材に分包紙を巻付けて製造した分包紙製品をセットし、その分包紙を使用して薬剤を自動的に分包する種々の薬剤分包機が実用に供されている。こうした薬剤分包機では、セットされた分包紙製品の分包紙が消費されて無くなると、その分包紙製品（芯材）を取り外し、新たな分包紙製品に交換する必要があるが、従来、分包紙が無くなったことを、薬剤分包機に設けたセンサにより検出して報知するようにしたものは存在する。
【０００３】
ところで、分包紙製品の芯材は合成樹脂材料で構成され、製造工場で製造し出荷した分包紙製品の使用後の芯材については、回収して再利用することができる。但し、芯材の再使用回数が多くなると芯材が劣化して状態が悪くなるため、芯材の使用回数等を把握せずに芯材を再利用してしまうと、製造した分包紙製品の状態も悪くなる虞がある。
【０００４】
他方、特許文献１には、内視鏡洗滌消毒装置において、各種消毒液収納部にＩＣチップを取り付け、そのＩＣチップに、使用限度回数情報と内容量情報を書込み、その情報と機器メモリの記憶情報とに基づいて、消耗品が使用限界を超えた場合或いは使用限界に近い場合に警告する技術が開示されている。
【特許文献１】特開２００２−２７２８２２号公報
【発明の開示】
【発明が解決しようとする課題】
【０００５】
従来、分包紙が無くなったことをセンサで検出し報知するようにした薬剤分包機が存在するが、こうした報知では、一度に複数の分包薬を作る一連の分包動作中に分包紙が無くなり、その一連の分包動作が中断する場合があり、そうなると、予定の薬剤分包時間が長くなること、分包薬を種類ごとに判り易く纏めるために所定数ずつ繋げて作ることができない虞があること、等の問題が生じて望ましくない。
【０００６】
一方、製造工場で製造し出荷した分包紙製品の使用後の芯材を回収して再利用する場合、前述のように、芯材の再使用回数が多くなると芯材が劣化して状態が悪くなるため、芯材の使用回数等を把握せずに芯材を再利用してしまうと、製造した分包紙製品の状態も悪くなり、その分包紙製品を薬剤分包機で正常に使用できない虞もある。
【０００７】
ここで、分包紙製品にＩＣチップを取り付け、そのＩＣチップに製造年月日等の情報を書込んで製品管理を行うことができる。しかし、ＩＣチップに製造年月日等の情報を書込むだけでは、上記課題を解決できない。尚、特許文献１には、消耗品に取り付けたＩＣチップにその残量を記憶させる旨は記載されているものの、分包紙製品に関する情報や演算等については開示されておらず、上記課題を解決するに至るものではない。
【０００８】
本発明の目的は、分包紙製品の分包紙を巻付ける芯材にＩＣチップを取り付けて、そのＩＣチップに分包紙の現在の残量情報を確実に書込むこと、その残量情報の演算と書込みを分包紙製品を薬剤分包機にセットした状態で確実に行うこと、薬剤分包機にセットした分包紙製品の分包紙の残量が所定量以下になった場合にその旨を報知し、更に薬剤分包機の分包動作を禁止又は中断すること、分包紙製品にＩＣチップを搭載した芯材が使用されていない場合にその旨を報知し、更に作業員の認証を得るまでその分包紙製品を使用して行う薬剤分包機の分包動作を停止すること、等である。
【課題を解決するための手段】
【０００９】
請求項１の分包紙管理システムは、薬剤分包機にセットして使用可能に芯材に分包紙を巻付けて製造した分包紙製品を管理する分包紙管理システムであって、前記芯材に取り付けられたＩＣチップと、前記分包紙製品の製造後出荷前に、その芯材に巻付けられた分包紙の巻量を示す残量情報を含む初期情報をそのＩＣチップに書込む初期情報書込み手段と、前記薬剤分包機にセットした分包紙製品のＩＣチップに対して非接触通信にて情報の読取りと書込みが可能に、薬剤分包機に設けられた読取り／書込み手段と、前記薬剤分包機にセットして使用した分包紙製品の分包紙の使用量と、前記読取り／書込み手段により前記分包紙製品のＩＣチップから読取った残量情報とを用いて、この分包紙製品の分包紙の残量に関する残量情報を演算する残量演算手段とを備え、前記読取り／書込み手段は、前記残量演算手段で演算された残量情報を前記ＩＣチップに書込んで更新することを特徴とするものである。
【００１０】
分包紙製品は薬剤分包機に回動可能にセットされ、この状態で、薬剤分包機が薬剤を分包するために作動すると、分包紙製品が回動して分包紙が引き出され、所定の薬剤分包処理部において、その分包紙の複数の分包紙片により薬剤が１又は複数ずつ分包される。例えば、前記芯材は合成樹脂製の円筒状の紙管に構成され、この紙管の内部に薬剤分包機に設けられた支軸が挿入されて、分包紙製品が薬剤分包機にセットされ、この支軸に読取り／書込み手段のアンテナが装着される。こうして、分包紙製品が薬剤分包機にセットされた状態で、分包紙製品が回動しても、薬剤分包機に設けられた読取り／書込み手段により、分包紙製品のＩＣチップに対して非接触通信にて情報の読取りと書込みが可能になる。
【００１１】
分包紙製品は芯材に分包紙を巻付けて製造されるが、初期情報書込み手段により、分包紙製品の製造後出荷前に、その芯材に巻付けられた分包紙の巻量を示す残量情報を含む初期情報がそのＩＣチップに書込まれる。そして、分包紙製品の出荷後、その分包紙製品を薬剤分包機にセットして使用し、その分包紙が消費されて薬剤が分包された場合、残量演算手段により、使用した分包紙製品の分包紙の使用量と、読取り／書込み手段により前記分包紙製品のＩＣチップから読取った残量情報とを用いて、この分包紙製品の分包紙の残量に関する残量情報が演算される。
【００１２】
残量演算手段で演算された残量情報は、読取り／書込み手段により前記ＩＣチップに書込まれて更新される。残量演算手段により演算された最新の残量情報は、次回の残量演算手段による演算で使用可能となる。ここで、残量演算手段による残量情報の演算については、分包紙が所定量消費される毎に行い、その所定量を薬剤分包機による１回の分包動作で消費する分包紙の量としてもよい。また、読取り／書込み手段によるＩＣチップへの残量情報の書込み更新については、残量演算手段により残量情報が演算される毎に行うことが好ましいが、所定回演算される毎に行うようにしてもよい。
【００１３】
このように、この分包紙管理システムでは、分包紙製品の分包紙を巻付ける芯材にＩＣチップを取り付け、分包紙製品の製造後出荷前に、そのＩＣチップに分包紙の巻量を示す残量情報を書込み、分包紙製品の出荷後、その分包紙製品を薬剤分包機にセットして使用した場合、その状態で、ＩＣチップから残量情報を読取り、芯材に巻付けられた分包紙の残量に関する残量情報を演算し、その残量情報をＩＣチップに書き込んで更新する。従って、分包紙製品のＩＣチップに分包紙の現在の残量情報が確実に書込まれる。
【００１４】
請求項２の分包紙管理システムは、請求項１の発明において、前記残量情報は、分包紙製品の芯材に巻付けられ残っている分包紙の残量、又は、分包紙製品の芯材に巻付けられた製造当初の巻量とその後の累積使用量の情報を含むことを特徴とするものである。
【００１５】
前記残量情報が、分包紙製品の芯材に巻付けられ残っている分包紙の残量の情報を含む場合、その残量は、残量演算手段で演算された前回の残量情報（最初は初期情報書込み手段で書込まれた残量情報）が示す残量から、その前回の演算以降使用した分包紙の使用量を減算して演算される。また、前記残量情報が、分包紙製品の芯材に巻付けられた製造当初の巻量とその後の累積使用量の情報を含む場合、その累積使用量は、残量演算手段で演算された前回の残量情報が示す累積使用量（最初は０）に、その前回の演算以降使用した分包紙の使用量を加算して演算される。こうして、分包紙製品の分包紙の現在の残量情報が確実に演算されＩＣチップに書込まれる。
【００１６】
請求項３の分包紙管理システムは、請求項１又は２の発明において、前記分包紙の残量と使用量は、薬剤分包機による薬剤の分包数、又は、分包紙の長さで計算されることを特徴とするものである。分包紙の残量と使用量が薬剤分包機に薬剤の分包数、又は、分包紙の長さで確実に計算される。
【００１７】
請求項４の分包紙管理システムは、請求項１〜３の何れかの発明において、前記初期情報書込み手段は、分包紙製品を製造する製造装置又は分包紙製品を出荷する為に管理する出荷管理機器に設けられたことを特徴とするものである。分包紙製品を製造した直後にＩＣチップに分包紙の巻量を示す残量情報が書込まれ、或いは、分包紙製品を出荷する為に管理する際にＩＣチップに分包紙の巻量を示す残量情報が書込まれる。
【００１８】
請求項５の分包紙管理システムは、請求項１〜４の何れかの発明において、前記薬剤分包機にセットして使用した分包紙製品の分包紙の使用量は、その薬剤分包機による分包動作に基づいて自動的に算出されることを特徴とするものである。薬剤分包機による分包動作は、例えば、その制御装置の制御情報からわかり、その制御情報から、前記使用量（使用した分包紙の長さや、使用した分包紙で分包した分包数）が自動的に算出される。
【００１９】
請求項６の分包紙管理システムは、請求項１〜５の何れかの発明において、前記読取り／書込み手段によりＩＣチップから読み取った残量情報に基づいて、分包紙の残量が所定量以下になった場合に、その旨を報知するディスプレイ、ランプ、音声発生器の何れかを有する報知手段を薬剤分包機に設けたことを特徴とするものである。薬剤分包機にセットされた分包紙製品の分包紙の残量が所定量以下になったことを薬剤師等のユーザーが確実に知り、分包紙製品を適切に交換することができる。
【００２０】
請求項７の分包紙管理システムは、請求項６の発明において、前記分包紙の残量が所定量以下になった場合に、薬剤分包機による分包動作を禁止又は中断する分包禁止手段を薬剤分包機に設けたことを特徴とするものである。薬剤分包機にセットされた分包紙製品の分包紙の残量が所定量以下になった場合、つまり、分包紙がほぼ無くなっている状態で、薬剤分包機による分包動作が禁止又は中断される。
【００２１】
請求項８の分包紙管理システムは、請求項１の発明において、前記初期情報は、分包紙製品に固有のセキュリティー情報を含み、前記ＩＣチップからセキュリティー情報を読取ってセキュリティーチェックを行い、分包紙製品にＩＣチップが搭載された芯材を使用していない場合に、その旨を、ディスプレイ、ランプ、音声発生器の何れかで報知するセキュリティー手段を設けたことを特徴とするものである。
【００２２】
このセキュリティー手段は、例えば、薬剤分包機や各種製品管理機器等に設けられ、薬剤分包機に設けた場合には、前記読取り／書込み手段によりＩＣチップからセキュリティー情報が読取られる。このセキュリティー手段により、ＩＣチップからセキュリティー情報が読取られてセキュリティーチェックが行われ、ＩＣチップが搭載されている分包紙製品でない場合、その旨が、ディスプレイ、ランプ、音声発生器の何れかで報知され、薬剤師等のユーザーや製品管理作業者等が、分包紙製品を判別することができる。
【００２３】
請求項９の分包紙管理システムは、請求項８の発明において、前記分包紙製品の芯材がＩＣチップを搭載した芯材でない場合、薬剤分包機において判別を行い、作業員の認証を得るまで分包動作を停止する分包停止手段を薬剤分包機に設けたことを特徴とするものである。分包紙製品にICチップが搭載されていない場合、作業員の認証を得るまで薬剤が分包されないように、薬剤分包機による分包動作が停止される。
【００２４】
請求項１０の分包紙管理システムは、請求項８又は９の発明において、前記芯材を再利用して分包紙製品を製造する場合、そのＩＣチップのセキュリティー情報を書き換えることを特徴とするものである。芯材を再利用して分包紙製品を製造する場合、芯材の使用回数を把握でき、芯材の劣化による分包動作の不具合を事前に回避できるように構成できる。
【００２５】
請求項１１の分包紙管理システムは、請求項８〜１０の何れかの発明において、前記初期情報は、芯材の再使用回数の情報、分包紙の使用期限の情報を含むことを特徴とするものである。芯材の再使用回数情報に基づいて芯材を再利用してよいか否か決定し、また、分包紙の使用期限情報に基づいて分包紙を使用してよいか否か決定することができる。
【００２６】
請求項１２の分包紙管理システムは、請求項８〜１１の何れかの発明において、前記ＩＣチップに、製造年月日、製造元、材質、製品名、品質、出入荷の有無、分包数、分包薬、分包作業名の内の少なくとも１つの情報を書込み可能に構成したことを特徴とするものである。こうした情報をＩＣチップに書き込んで、分包紙製品の管理、この分包紙製品の分包紙で分包した分包薬の管理を行うことができる。
【００２７】
請求項１３の分包紙管理システムは、請求項１１又は１２の発明において、前記ＩＣチップから読取った情報を表示させる表示手段を設けたことを特徴とするものである。必要な場合に、芯材の再使用回数の情報、分包紙の使用期限、製造年月日、製造元、材質、製品名、品質、出入荷の有無、分包数、分包薬、分包作業名を表示手段に表示させて知ることができる。
【発明の効果】
【００２８】
請求項１の分包紙管理システムによれば、分包紙製品の分包紙を巻付ける芯材にＩＣチップを取り付け、初期情報書込み手段により、分包紙製品の製造後出荷前に、その芯材に巻付けられた分包紙の巻量を示す残量情報をそのＩＣチップに書込み、分包紙製品の出荷後、その分包紙製品を薬剤分包機にセットして使用した状態で、薬剤分包機に設けた読取り／書込み手段により、その分包紙製品のＩＣチップに対して非接触通信にて情報の読取りと書込みが可能になり、残量演算手段により、薬剤分包機にセットして使用した分包紙製品の分包紙の使用量と、読取り／書込み手段により前記分包紙製品のＩＣチップから読取った残量情報とを用いて、この分包紙製品の分包紙の残量に関する残量情報を演算し、読取り／書込み手段により、残量演算手段で演算された残量情報を前記ＩＣチップに書込んで更新する。
【００２９】
つまり、分包紙製品のＩＣチップに分包紙の現在の残量情報を確実に書込み、その残量情報の演算と書込みを分包紙製品を薬剤分包機にセットした状態で確実に行うことができ、この残量情報が示す分包紙の現在の残量（巻量）を、そのＩＣチップから残量情報を読取って簡単且つ確実に知ることができ、分包紙製品の商品管理は勿論、この残量情報に基づいて分包紙製品を使用する薬剤分包機の必要な制御を実行させることが可能になる。
【００３０】
請求項２の分包紙管理システムによれば、前記残量情報が、分包紙製品の芯材に巻付けられ残っている分包紙の残量の情報を含む場合、その残量を、残量演算手段で演算された前回の残量情報が示す残量から、その前回の演算以降に使用した分包紙の使用量を減算して演算し、また、前記残量情報が、分包紙製品の芯材に巻付けられた製造当初の巻量とその後の累積使用量の情報を含む場合、その累積使用量を、残量演算手段で演算された前回の残量情報が示す累積使用量に、その前回の演算以降に使用した分包紙の使用量を加算して演算することができ、分包紙製品の分包紙の現在の残量情報を確実に演算してＩＣチップに書込むことができる。
【００３１】
請求項３の分包紙管理システムによれば、分包紙の残量と使用量を薬剤分包機による薬剤の分包数、又は、分包紙の残量で確実に計算することができる。
【００３２】
請求項４の分包紙管理システムによれば、初期情報書込み手段を、分包紙製品を製造する製造装置又は分包紙製品を出荷する為に管理する出荷管理機器に設けたので、分包紙製品を製造した直後にＩＣチップに分包紙の巻量を示す残量情報を確実に書込むことができ、或いは、分包紙製品を出荷する為に管理する際にＩＣチップに分包紙の巻量を示す残量情報を確実に書込むことができる。
【００３３】
請求項５の分包紙管理システムによれば、薬剤分包機にセットして使用した分包紙製品の分包紙の使用量を、その薬剤分包機による分包動作に基づいて自動的に算出するので、残量演算手段による演算を簡単且つ迅速に行うことができる。
【００３４】
請求項６の分包紙管理システムによれば、読取り／書込み手段によりＩＣチップから読み取った残量情報に基づいて、分包紙の残量が所定量以下になった場合に、その旨を報知するディスプレイ、ランプ、音声発生器の何れかを有する報知手段を薬剤分包機に設けたので、薬剤分包機にセットされた分包紙製品の分包紙の残量が所定量以下になったことを薬剤師等のユーザーが確実に知り、分包紙製品を適切に交換することができる。その結果、一度に複数の分包薬を作る一連の分包動作中に分包紙が無くなり、その一連の分包動作が中断することを未然に防ぎ、予定の薬剤分包時間が長くなること等を防止できる。
【００３５】
請求項７の分包紙管理システムによれば、分包紙の残量が所定量以下になった場合に、薬剤分包機による分包動作を禁止又は中断する分包禁止手段を薬剤分包機に設けたので、分包紙がほぼ無くなっている状態で、薬剤分包機による分包動作を禁止又は中断することができ、それ故、一度に複数の分包薬を作る一連の分包動作中に分包紙が無くなり、その一連の分包動作が中断することを確実に防ぐことができる。
【００３６】
請求項８の分包紙管理システムによれば、前記初期情報は、分包紙製品に固有のセキュリティー情報を含み、前記ＩＣチップからセキュリティー情報を読取ってセキュリティーチェックを行い、分包紙製品にＩＣチップが搭載された芯材を使用していない場合に、その旨を、ディスプレイ、ランプ、音声発生器の何れかで報知するセキュリティー手段を設けたので、使用期限等の衛生上安全な分包紙製品を見つけることができ、ＩＣチップが搭載されていない分包紙製品を使用するユーザーに事前に報知できるように構成し、ユーザーが受ける被害を防ぐことが可能となる。
【００３７】
請求項９の分包紙管理システムによれば、分包紙製品の芯材がＩＣチップを搭載した芯材でない場合、薬剤分包機において判別を行い、作業員の認証を得るまで分包動作を停止する分包停止手段を薬剤分包機に設けたので、ＩＣチップが搭載されていない分包紙製品を使用するユーザーが受ける被害を、薬剤分包機による分包動作を作業員の認証を得るまで停止することで未然に防止することができる。
【００３８】
請求項１０の分包紙管理システムによれば、芯材を再利用して分包紙製品を製造する場合、そのＩＣチップのセキュリティー情報を書き換えるので、使用期限等を容易に把握することができる。
【００３９】
請求項１１の分包紙管理システムによれば、前記初期情報は、芯材の再使用回数の情報、分包紙の使用期限の情報を含むので、芯材の再使用回数情報に基づいてその芯材を再利用してよいか否か決定し、また、分包紙の使用期限情報に基づいてその分包紙を使用してよいか否か決定することができる。
【００４０】
請求項１２の分包紙管理システムによれば、前記ＩＣチップに、製造年月日、製造元、材質、製品名、品質、出入荷の有無、分包数、分包薬、分包作業名の内の少なくとも１つの情報を書込み可能に構成したので、こうした情報をＩＣチップに書き込んで、分包紙製品の管理、この分包紙製品の分包紙で分包した分包薬の管理を行うことができる。
【００４１】
請求項１３の分包紙管理システムによれば、必要な場合に、芯材の再使用回数の情報、分包紙の使用期限、製造年月日、製造元、材質、製品名、品質、出入荷の有無、分包数、分包薬、分包作業名を表示手段に表示させて知ることができる。
【発明を実施するための最良の形態】
【００４２】
本発明の、薬剤分包機にセットして使用可能に芯材に分包紙を巻付けて製造した分包紙製品を管理する分包紙管理システムは、前記芯材に取り付けられたＩＣチップと、前記分包紙製品の製造後出荷前に、その芯材に巻付けられた分包紙の巻量を示す残量情報を含む初期情報をそのＩＣチップに書込む初期情報書込み手段と、前記薬剤分包機にセットした分包紙製品のＩＣチップに対して非接触通信にて情報の読取りと書込みが可能に、薬剤分包機に設けられた読取り／書込み手段と、前記薬剤分包機にセットして使用した分包紙製品の分包紙の使用量と、前記読取り／書込み手段により前記分包紙製品のＩＣチップから読取った残量情報とを用いて、この分包紙製品の分包紙の残量に関する残量情報を演算する残量演算手段とを備え、前記読取り／書込み手段は、前記残量演算手段で演算された残量情報を前記ＩＣチップに書込んで更新するように構成したものである。
【実施例】
【００４３】
以下、本発明の実施例について図面に基づいて説明する。
先ず、薬剤分包機１について説明する。
図１〜図３に示すように、薬剤分包機１は、薬剤収容部２と、この薬剤収容部２が載置された分包機本体部３とを有する。薬剤収容部２の内部には、複数種類の薬剤を分類して収容する複数の薬剤収容部（図示略）が設けられ、分包機本体部２の下部に、タッチパネル４を前面に備えたディスプレイ５が設けられている。このタッチパネル４を操作して、薬剤分包機１の種々の設定や運転開始／停止操作等を行うことができる。また、ランプ６、音声発生器７も設けられている。
【００４４】
分包機本体部２には、分包処理部（図示略）と、この薬剤分包機１にセットされた分包紙製品４０の分包紙４２を分包処理部に送る送り機構８と、この分包処理部において、分包紙の複数の分包紙片によって薬剤を１又は複数ずつ分包する分包機構９が設けられている。また、タッチパネル４、ディスプレイ５、ランプ６、音声発生器７、送り機構８、分包機構９に電気的に接続された制御部１０が設けられている。
【００４５】
薬剤分包機１に分包紙製品４０をセットする分包紙装着部１５は分包機本体部２の側部に設けられ、この分包紙装着部１５は、円板状の載置板１６と、この載置板１６の中央部に立設された円筒状の支軸１７を有する。分包紙製品４０が載置板１６上に載置支持され、分包紙製品４０の円筒状の芯材４１に支軸１７が挿入されて、薬剤分包機１に分包紙製品４０が回動可能にセットされる。
【００４６】
この薬剤分包機１には、例えばノート型のパーソナルコンピュータ２０（ＰＣ２０）が付設され、このＰＣ２０を用いて薬剤分包機１の各種操作を実行することもできる。ＰＣ２０は、ＰＣ本体２１、ディスプレイ２２、キーボード２３、マウス２３を有し、そのＰＣ本体２１が薬剤分包機１の制御部１０に電気的に接続されている。
【００４７】
ＰＣ２０のＰＣ本体２１にはRFID基板３０が電気的に接続され、このRFID基板３０には、コントローラ３１と、ＩＣチップ５２との交信部であるRFID R/W３２が設けられている。RFID R/W３２にはアンテナ３３が接続され、そのアンテナ３３は複数回巻かれた状態で、分包紙装着部１０の円筒状の支軸１７の内側に固定的に設けられ、芯材４１に埋め込まれたＩＣチップ５０が回転しても安定して読取り／書込みが行える。
【００４８】
次に、分包紙製品４０について説明する。
図４〜図８に示すように、分包紙製品４０は芯材４１に分包紙４２を巻付けて製造され、その芯材４１にＩＣチップ５２（電気ＩＣチップ５２）を含むＩＣユニット５０（RFIDタグ）が取り付けられている。芯材４１は合成樹脂材料で円筒状に構成されて紙管とよばれ、その芯材４１の内面部には複数（例えば、４本）のリブ４１ａが形成されている。
【００４９】
ＩＣユニット５０は、芯材４１に例えば埋め込んだ形で装着されている（図６参照）。このＩＣユニット５０は、カード状のケース部５１と、このケース部５１に取り付けられたＩＣチップ５２とアンテナ５７とを有し、このＩＣチップ５２にアンテナ５７が接続されている。図８に示すように、ＩＣチップ５２は、ＣＰＵ５３、ＲＯＭ５４、ＲＡＭ５５、ＥＥＰＲＯＭ５６を有する。
【００５０】
この分包紙製品４０は所定の製造工場で製造され、その分包紙製品４０はこの分包紙製品４０を使用可能な薬剤分包機１を設置した薬局等に出荷される。この製造工場の製造装置には、図９に示すように、パーソナルコンピュータ５８（ＰＣ５８）と、ＰＣ５８に接続されたＩＣチップ用のリーダライタ５９が設けられている。ここで、製造工場で製造し出荷した分包紙製品４０の使用後の芯材４１については、回収して状態が悪くなっていなければ再利用するようにしてある。
【００５１】
尚、ＩＣユニット５０と、RFID基板３０やリーダライタ５９の通信については、ＩＣユニット５０において、アンテナ５７がRFID基板３０やリーダライタ５９からの電波を受信して、共振作用により起電力が発生し、ＩＣチップ５２内の情報を信号化しアンテナ５７からRFID基板３０やリーダライタ５９に送信する。
【００５２】
さて、本発明の分包紙管理システムＳは、芯材４１に取り付けられたＩＣチップ５２と、分包紙製品４０の製造後出荷前に、その芯材４１に巻付けられた分包紙４２の巻量を示す残量情報を含む初期情報をそのＩＣチップ５２に書込む初期情報書込み手段に相当するリーダライタ５９と、薬剤分包機１にセットした分包紙製品４０のＩＣチップ５２に対して非接触通信にて情報の読取りと書込みが可能に、薬剤分包機１に設けられた読取り／書込み手段に相当するRFID基板３０と、薬剤分包機１にセットして使用した分包紙製品４０の分包紙４２の使用量と、RFID基板３０により分包紙製品４０のＩＣチップ５２から読取った残量情報とを用いて、この分包紙製品１の分包紙４２の残量に関する残量情報を演算する残量演算手段を有するＰＣ２０とを備え、RFID基板３０は、ＰＣ２０で演算された残量情報を前記ＩＣチップ５２に書込んで更新するように構成してある。
【００５３】
先ず、所定の製造工場に設置されるＰＣ５８及びリーダライタ５９の機能について説明すると、このＰＣ５８では、製造された分包紙製品４０について、図１０に示すように、ユニークＩＤ、システムパスワード、製造年月日、製造当初分包紙巻量、製造元、材質、製品名、品質、分包紙累積使用量、分包紙残量の情報が作成され、これらの情報が初期情報としてリーダライタ５９により分包紙製品４０のＩＣチップ５２のＥＥＰＲＯＭ５６に書込まれる。これらの情報のうち、ユニークＩＤが、その分包紙製品４０に固有のセキュリティー情報であり、製造当初分包紙巻量、分包紙累積使用量、分包紙残量の情報が、分包紙４２の巻量を示す（残量に関する）残量情報である。
【００５４】
製造当初分包紙巻量は、分包紙製品４０の芯材４１に巻付けられた分包紙４２の製造当初の巻量であり、分包紙累積使用量は、分包紙製品４０の製造後に使用した分包紙４２の累積使用量であり、分包紙残量は、分包紙製品４０の芯材４１に巻付けられ残っている分包紙４２の残量である。これらの分包紙４２の巻量、使用量、残量は、薬剤分包機１による薬剤の分包数、又は、分包紙４２の長さで規定され、初期情報としての分包紙累積使用量は０となり、分包紙残量は製造当初分包紙巻量と同じになる。尚、前記残量情報として、製造当初分包紙巻量と分包紙累積使用量、又は、分包紙残量の情報を省略してもよい。
【００５５】
ここで、芯材４１を再利用して分包紙製品４０を製造する場合には、先ず、リーダライタ５９により、その芯材４１のＩＣチップ５２から図１１の情報を読取り、ＰＣ４８では、読取ったユニークＩＤとは異なる新たなユニークＩＤと、読取った芯材再使用回数をインクリメントした芯材再使用回数の情報を含む初期情報が作成され、その初期情報がリーダライタ５９によりＩＣチップ５２のＥＥＰＲＯＭ５６に書き換えられる。尚、ＰＣ４８では、図１０、図１１の情報をディスプレイに表示させることができる。
【００５６】
図１１の情報は、図１０の初期情報に、出荷有無、入荷有無、実施分包薬、実施分包作業者名の情報を追加した情報であり、ＩＣチップ５０に書込まれた情報である。但し、分包紙製品４０を薬剤分包機１にセットして使用した場合、ＰＣ２０により、分包紙累積使用量、分包紙残量の情報が演算され、この分包紙累積使用量、分包紙残量の情報が、RFID基板３０によりＩＣチップ５２に書込まれて更新される。
【００５７】
次に、ＰＣ２０が実行する分包紙量管理制御について、図１２のフローチャート（図中のＳｉ（ｉ＝１、２、３・・・）は各ステップを示す）に基づいて説明する。尚、この分包紙量管理制御を実行する為の制御プログラムがＰＣ２０に格納され、この制御プログラムは、所定のＣＤＲＯＭから、或いは、所定のサーバーからインターネット等を介してダウンロード可能である。
【００５８】
この分包紙量管理制御は、例えば、分包紙製品４０が薬剤分包機１にセットされた状態でＰＣ２０の電源がオンされると、或いは、ＰＣ２０に電源がオンされた状態で分包紙製品４０が薬剤分包機１にセットされると開始され、また、ＰＣ２０の電源がオフされると、或いは、分包紙製品４０が薬剤分包機１から取り外されると終了し、そのために、分包紙製品４０が薬剤分包機１にセットされたか否かを、分包紙装着部１５にセンサを設けて検出してもよいし、RFID基板３０によるＩＣチップ５２への交信に基づいて検出するようにしてもよい。
【００５９】
図１２に示すように、この分包紙量管理制御が開始されると、先ず、RFID基板３０により、セットされた分包紙製品４０のＩＣチップ５２から読み取った図１１や図１２のうちの必要な情報が読込まれ（Ｓ１）、次に、前回と同じ（前回の分包紙量管理制御でセットされた分包紙製品１と同じ）分包紙製品４０が薬剤分包機１にセットされているか否か判定される（Ｓ２）。Ｓ２の判定は、例えば、前回読取って記憶しておいたユニークＩＤと、今回読取ったユニークＩＤとを照合して行われる。
【００６０】
次に、ＩＣチップ５２から読取ったユニークＩＤとシステムパスワード等を用いてセキュリティーチェックが行われ（Ｓ３）、ここで、ユニークＩＤとシステムパスワードが解読され、この薬剤分包機１で使用許可された分包紙製品４０のユニークＩＤとシステムパスワードであると照合されない場合（Ｓ４；No）、その分包紙製品４０にＩＣチップ５０を埋め込んだ芯材４１を使用していないことになる。つまり、分包紙製品４０の芯材４１がＩＣチップ５０を埋め込んだ芯材４１でない場合、その旨が、薬剤分包機１のディスプレイ５、ランプ６、音声発生器７、ＰＣ２０のディスプレイ２２の何れかで報知され（Ｓ５）、更に、薬剤分包機１による分包動作が停止され（Ｓ６）、待機状態となる（Ｓ７）。
【００６１】
一方、読取ったユニークＩＤとシステムパスワードが、この薬剤分包機１で使用許可された分包紙製品４０のユニークＩＤとシステムパスワードであると照合された場合（Ｓ４；Yes ）、次に、読取った分包紙使用期限の情報に基づいて使用期限が切れている場合（Ｓ８；Yes ）、その旨が、薬剤分包機１のディスプレイ５、ランプ６、音声発生器７、ＰＣ２０のディスプレイ２２の何れかで報知され（Ｓ５）、更に、薬剤分包機１による分包動作が禁止され（Ｓ６）、待機状態となる（Ｓ７）。但し、使用期限切れの場合には報知のみに留まり、Ｓ５の後にＳ９へ移行するようにしてもよい。ここで、特に、Ｓ４において、薬剤分包機１で使用許可された分包紙製品４０のユニークＩＤとシステムパスワードであると照合されない場合に（分包紙製品４０にＩＣチップ５０が搭載されていない場合を含む）、Ｓ７の待機状態になった場合、作業員が認証コードを入力する等して認証が得られると、分包動作可能に構成してある。
【００６２】
次に、使用期限が切れていない場合（Ｓ８；No）、読取った残量情報に基づいて、分包紙４２の残量が所定量以下であるか否か判定される（Ｓ９）。ここで、残量情報として、分包紙製品４０の芯材４１に巻付けられ残っている分包紙４２の残量を用いた場合には、その残量が予め設定された所定残量以下であるか否か判定され、残量情報として、分包紙製品４０の芯材４１に巻付けられた製造当初の巻量とその後の累積使用量の情報を用いた場合には、その累積使用量が所定使用量以上であるか否か判定される。尚、前記所定量は、例えば、薬剤分包機１の一連の分包動作で作られる分包薬の数に応じて、その一連の分包動作中に分包紙４２が無くならない量に設定されるようにしてもよい。
【００６３】
そして、分包紙４２の残量が所定量以下である場合（Ｓ９；Yes ）、その旨が、薬剤分包機１のディスプレイ５、ランプ６、音声発生器７、ＰＣ２０のディスプレイ２２の何れかで報知され（Ｓ５）、更に、薬剤分包機１による分包動作が禁止又は中断され（Ｓ６）、待機状態となる（Ｓ７）。尚、Ｓ５が報知手段に相当し、Ｓ６が分包禁止手段に相当する。
【００６４】
次に、分包紙４２の残量が所定量以下でない場合（Ｓ９；No）、薬剤分包機１による分包動作が実行されると（Ｓ１０；Yes ）、薬剤分包機１の制御部１０から分包動作に関する情報が入力され、その分包動作に基づいて、薬剤分包機１にセットして使用した分包紙製品４０の分包紙４２の使用量が自動的に算出される（Ｓ１２）。例えば、Ｓ１２で算出される使用量は、１回の分包動作で使用される分包紙４２の使用量である。
【００６５】
次に、Ｓ１３において、Ｓ１２で算出された使用量と、ＩＣチップ５２から読取った残量情報（分包紙累積使用量、分包紙残量の情報）を用いて、この分包紙製品４０の分包紙の残量に関する新たな残量情報（分包紙累積使用量、分包紙残量の情報）が演算され、分包紙累積使用量は、今までの分包紙累積使用量に今回の使用量を加算し、分包紙残量は、今までの分包紙残量から今回の使用量を減算し求められる。尚、分包紙の残量と使用量は、薬剤分包機１による薬剤の分包数、又は、分包紙４２の長さで計算される。
【００６６】
その後、Ｓ１３で演算された残量情報が、RFID基板３０によりＩＣチップ５２に書込まれて更新され（Ｓ１４）、その後Ｓ１０へ移行し、Ｓ１０→Ｓ１４が繰り返し実行される。尚、２回目移行のＳ１３の演算については、その都度、ＩＣチップ５２から残量情報を読取って使用してもよいが、Ｓ１３の演算結果である残量情報はＰＣ２０に一時的に記憶されるため、その記憶情報である前回の残量情報を用いて行うことが好ましい。
【００６７】
ところで、分包紙累積使用量、分包紙残量の情報の更新途中に、ＰＣ２０の電源が強制的にオフされる等して、この分包紙管理制御が終了する場合が想定される。このような場合でも、分包紙累積使用量、分包紙残量の更新前の情報が保持されるようにバックアップ（具体的には、常時２重に記憶）されているが、最新の分包紙累積使用量、分包紙残量の情報はＩＣチップ５２に書込まれていない状態となる。
【００６８】
そこで、この分包紙管理制御が開始され、前回と同じ分包紙製品４０が薬剤分包機１にセットされている場合に（Ｓ２；Yes ）、残量情報の書き込み未完了の場合（Ｓ１５；Yes ）、最新の分包紙累積使用量、分包紙残量の情報がＩＣチップ５２に書込まれて更新され（Ｓ１６）、Ｓ８へ移行する。残量情報の書き込み完了している場合（Ｓ１５；No ）もＳ８へ移行する。つまり、前回と同じ分包紙製品４０が薬剤分包機１にセットされている場合には、Ｓ３、Ｓ４については省略可能となる。
【００６９】
ところで、この薬剤分包機１のタッチパネル４を操作したり、ＰＣ２０のキーボード２３やマウス２４を操作することにより、薬剤分包機１で分包する実施分包薬、この薬剤分包機１を操作した実施分包作業者名を入力設定することができる。実施分包作業者名又は分包する薬剤を入力設定（変更を含む）する毎に、この実施分包薬と実施分包作業者名との情報を対応付けて、RFID基板３０により、使用した分包紙製品４０のＩＣチップ５２に書込むように構成してある。
【００７０】
また、薬局等に設置された薬剤分包機１やＰＣ２０、或いは薬局等に別途設けられたＰＣ、或いは、分包紙製品４０を出荷するために管理するＰＣ等の出荷管理機器、或いは、分包紙製品４０を輸送する輸送会社等のＰＣ、等々に接続された携帯式のリーダライタにより、分包紙製品４０のＩＣチップ５２から図１０や図１１の種々の情報の少なくとも１つの情報を読取り、その情報をディスプレイに表示させるように構成することができる。
【００７１】
以上説明した分包紙管理システムＳによれば、次の作用・効果を奏する。
分包紙製品４０の分包紙４２を巻付ける芯材４１にＩＣチップ５２を取り付け、リーダライタ５９により、分包紙製品４０の製造後出荷前に、その芯材４１に巻付けられた分包紙４２の巻量を示す残量情報をそのＩＣチップ５２に書込むことができ、分包紙製品４０の出荷後、その分包紙製品４０を薬剤分包機１にセットして使用した状態で、薬剤分包機１に設けたRFID基板３０により、その分包紙製品４０のＩＣチップ５２に対して非接触通信にて情報の読取りと書込みが可能になる。
【００７２】
ＰＣ２０により、薬剤分包機１にセットして使用した分包紙製品４０の分包紙４２の使用量と、RFID基板３０により前記分包紙製品４０のＩＣチップ５２から読取った残量情報とを用いて、この分包紙製品４０の分包紙４２の残量に関する残量情報を演算することができ、RFID基板３０により、ＰＣ２０で演算された残量情報を前記ＩＣチップ５２に書込んで更新することができる。
【００７３】
つまり、分包紙製品４０のＩＣチップ５２に分包紙４２の現在の残量情報を確実に書込み、その残量情報の演算と書込みを分包紙製品４０を薬剤分包機１にセットした状態で確実に行うことができ、この残量情報が示す分包紙の現在の残量（巻量）を、そのＩＣチップ５２から残量情報を読取って、薬剤分包機１のディスプレイ５や、ＰＣ２０の２２に表示させて簡単且つ確実に知ることができる。
【００７４】
例えば、薬剤分包機１にセットされた分包紙製品４０により、後どれだけ分包できるかという残りの分包数をディスプレイ５，２２に表示させて知ることができ、これにより、これから実施する薬剤分包機１で行う分包数を設定して、一連の分包動作中に、セットした薬剤分包機１の分包紙４２が無くなり、分包紙製品４０を交換しなければならない、という事態を未然に防ぐことができ、つまり、分包紙製品４０の交換時期を知り、分包紙製品４０の分包紙４２を円滑に無駄なく使用できるようになる。
【００７５】
初期情報をＩＣチップ５２に書込むリーダライタ５９を、分包紙製品４０を製造する製造装置、分包紙製品４０を出荷する為に管理する出荷管理機器に設けたので、分包紙製品４０を製造した直後にＩＣチップ５２に分包紙の巻量を示す残量情報を含む初期情報を確実に書込むことができ、或いは、分包紙製品４０を出荷する為に管理する際にＩＣチップ５２に分包紙４２の巻量を示す残量情報を確実に書込むことができる。
【００７６】
薬剤分包機１にセットして使用した分包紙製品４０の分包紙４２の使用量を、その薬剤分包機１による分包動作に基づいて自動的に算出するので、その演算を簡単且つ迅速に行うことができる。RFID基板３０によりＩＣチップ５２から読み取った残量情報に基づいて、分包紙４２の残量が所定量以下になった場合に、その旨を報知するディスプレイ５、ランプ６、音声発生器７の何れかを薬剤分包機１に設けたので、薬剤分包機１にセットされた分包紙製品４０の分包紙４２の残量が所定量以下になったことを薬剤師等のユーザーが確実に知り、分包紙製品４０を適切に交換することができる。
【００７７】
その結果、一度に複数の分包薬を作る薬剤分包機１の一連の分包動作中に分包紙４２が無くなり、その一連の分包動作が中断することを未然に防ぎ、予定の薬剤分包時間が長くなること、分包薬を種類ごとに判り易く纏めるために所定数ずつ繋げて作ることができないこと、等を防止できる。しかも、分包紙４２の残量が所定量以下になった場合に、薬剤分包機１による分包動作を禁止するので、一連の分包動作中に分包紙が無くなり、その一連の分包動作が中断することを確実に防ぐことができる。
【００７８】
前記初期情報は、分包紙製品４０に固有のセキュリティー情報であるユニークＩＤを含み、ＩＣチップ５２からユニークＩＤを読取ってセキュリティーチェックを行い、その分包紙製品４０が正規の製造品でない場合に、その旨を、ディスプレイ５、ランプ６、音声発生器７の何れかで報知するので、ＩＣチップを搭載されていない分包紙製品の場合、その分包紙製品を見つけることができ、ＩＣチップを搭載していない分包紙製品を使用するユーザーが受ける被害を防ぐことが可能となる。
【００７９】
分包紙製品４０にＩＣチップが搭載されていない場合、薬剤分包機１による分包動作を停止するので、ＩＣチップを搭載していない分包紙製品を使用するユーザーが受ける被害を、薬剤分包機１による分包動作を停止することで未然に防止することができる。
【００８０】
前記初期情報は、芯材４１の再使用回数の情報、分包紙の使用期限の情報を含むので、芯材４１の再使用回数情報に基づいてその芯材４２を再利用してよいか否か適切に決定することができ、分包紙４２の使用期限情報に基づいてその分包紙を使用してよいか否か決定することができ、使用期限切れ分包紙製品４０を使用する人為的ミスを防ぎ、その分包紙製品４０を使用することによる衛生上のトラブルを回避し、服薬者にとっても安全に薬剤を服薬してもらえるようになる。
【００８１】
前記ＩＣチップ５２に、製造年月日、製造元、材質、製品名、品質、出入荷の有無、分包数、分包薬、分包作業名の情報を書込み可能に構成したので、こうした情報をＩＣチップ５２に書き込んで、分包紙製品４０の管理、この分包紙製品４０で分包したものの分包管理を行うことができ、必要な場合に、芯材の再使用回数の情報、分包紙の使用期限、製造年月日、製造元、材質、製品名、品質、出入荷の有無、分包数、分包薬、分包作業名を表示手段に表示させて知ることができる。
【００８２】
特に、在庫管理機器にリーダライタを設けた場合、ＩＣチップ５２から製造年月日を読取り、製造年月日の古い分包紙製品４０から出荷するように管理して、また、薬局等にリーダライタを設けた場合、製造年月日の古い分包紙製品４０から使用するように管理することができる。その結果、古い分包紙製品４０を使用することによる薬剤分包機１の負荷を軽減し、また、分包紙製品４０を衛生管理上安心して使用し、お客さんにより安心して分包薬を服用してもらえるようになる。
【００８３】
尚、前記実施例において、RFID基板３０をＰＣ２０に内蔵してもよいし、RFID基板３０を省略し、このRFID基板と同等の機能をＰＣ２０にもたせてもよい。また、ＰＣ２０を省略して、このＰＣ２０と同等の機能を薬剤分包機１（制御部８）にもたせてもよい。その他、本発明の趣旨を逸脱しない範囲において種々の変更を付加して実施可能である。
【図面の簡単な説明】
【００８４】
【図１】本発明の実施例に係る薬剤分包機の斜視図である。
【図２】分包紙製品装着部の斜視図である。
【図３】薬剤分包機とその付設機器のブロック図である。
【図４】分包紙製品の斜視図である。
【図５】分包紙製品の芯材の斜視図である。
【図６】分包紙製品の芯材の横断面図である。
【図７】ＩＣユニットの正面図である。
【図８】ＩＣユニットのブロック図である。
【図９】ＰＣ及びリーダライタの正面図である。
【図１０】ＩＣチップに記憶された初期情報を示す図である。
【図１１】ＩＣチップに記憶された情報を示す図である。
【図１２】分包紙管理制御のフローチャートである。
【符号の説明】
【００８５】
Ｓ      分包紙管理システム
１      薬剤分包機
５      ディスプレイ
６      ランプ
７      音声発生器
２０    ＰＣ
２２    ディスプレイ
３０    RFID基板
４０    分包紙製品
４１    芯材
４２    分包紙
５２    ＩＣチップ
５９    リーダライタ
【図１】
2005230242.tif 000003
【図２】
2005230242.tif 000004
【図３】
2005230242.tif 000005
【図４】
2005230242.tif 000006
【図５】
2005230242.tif 000007
【図６】
2005230242.tif 000008
【図７】
2005230242.tif 000009
【図８】
2005230242.tif 000010
【図９】
2005230242.tif 000011
【図１０】
2005230242.tif 000012
【図１１】
2005230242.tif 000013
【図１２】
2005230242.tif 000014